(57)【要約】【課題】廃棄物置き場における環境の不具合を改善することができる空気調和機および廃棄物収容庫を提供する。【解決手段】ゴミ収集庫１に設置される空気調和機５であって、ゴミ判別部６３と、運転制御部６５とを備えている。ゴミ判別部６３は、ゴミ収集庫１に廃棄されたゴミ３０の種類を判別する。運転制御部６５は、ゴミ判別部６３の判別結果に基づいて空調制御を行う。【選択図】        図２
2004317088.tif 000002
【特許請求の範囲】
【請求項１】
廃棄物置き場（１）に設置される空気調和機（５）であって、
前記廃棄物置き場（１）に廃棄される廃棄物（３０）の種類を判別する判別部（６３）と、
前記判別部（６３）の判別結果に基づいて空調制御を行う空調制御部（６５）と、
を備えた空気調和機（５）。
【請求項２】
前記判別部（６３）に接続され、前記廃棄物置き場（１）に廃棄される廃棄物（３０）の種類を検知するための廃棄物センサ（６２）をさらに備えた、
請求項１に記載の空気調和機（５）。
【請求項３】
廃棄物置き場（１）に設置される空気調和機（５）であって、
前記廃棄物置き場（１）において廃棄物（３０）の収集が行われる所定の収集スケジュール（Ｓ）を認識するスケジュール認識部（６４）と、
前記スケジュール認識部（６４）の認識結果に基づいて空調制御を行う空調制御部（６５）と、
を備えた空気調和機（５）。
【請求項４】
前記空調制御部（６５）に対して制御命令の入力が可能に接続されるコントローラ（９）をさらに備え、
前記コントローラ（９）は、前記廃棄物の収集スケジュール（Ｓ）の内容を表示する表示部（９２）を有する、
請求項３に記載の空気調和機（５）。
【請求項５】
前記コントローラ（９）は、前記廃棄物の収集スケジュール（Ｓ）の情報の入力が可能なスケジュール情報入力部（９１）を有する、
請求項４に記載の空気調和機（５）。
【請求項６】
廃棄物置き場（１）に設置される空気調和機（５）であって、
人体に悪影響を及ぼす気体を検知する検知部（６７）と、
前記検知部（６７）が前記人体に悪影響を及ぼす気体を検知した際に警告を行う警告部（６８）と、
を備えた空気調和機（５）。
【請求項７】
廃棄物置き場（１）に設置される空気調和機（５）であって、
人体に悪影響を及ぼす気体を検知する検知部（６７）と、
前記検知部（６７）が前記人体に悪影響を及ぼす気体を検知した結果に基づいて空調制御を行う空調制御部（６５）と、
を備えた空気調和機（５）。
【請求項８】
前記空調制御部（６５）は、少なくとも前記廃棄物置き場（１）における臭気成分もしくは有害成分を低減させる空気清浄制御（６５ａ、６５ｂ）と、湿度を調整する湿度制御（６５ｃ）と、温度を調整する温度制御（６５ｄ）とのうちいずれか１つの制御を行う、
請求項７に記載の空気調和機（５）。
【請求項９】
内部に廃棄物（３０）を収容するための内部空間（ＳＩ）を有するケーシング（２）と、
前記ケーシング（２）に設けられ、前記廃棄物（３０）の種類に応じて前記内部空間（ＳＩ）の空調制御を行う空気調和機（５）と、
を備えた廃棄物収容庫（１）。
【請求項１０】
前記ケーシング（２）は、開閉可能な開閉部材（３）を有しており、
前記開閉部材（３）は、前記空気調和機（５）と接続され前記開閉部材（３）の開閉を感知する開閉センサ（４）を有する、
請求項９に記載の廃棄物収容庫（１）。
【請求項１１】
内部に廃棄物（３０）を収容するための内部空間（ＳＩ）を有し、所定の収集スケジュール（Ｓ）に基づいて前記廃棄物（３０）の収集が行われるケーシング（２）と、
前記ケーシング（２）に設けられ、前記廃棄物の収集スケジュール（Ｓ）に基づいて前記内部空間（ＳＩ）の空調制御を行う空気調和機（５）と、
を備えた廃棄物収容庫（１）。
【請求項１２】
廃棄物（３０）を収容するための内部空間（ＳＩ）を有するケーシング（２）と、
前記内部空間（ＳＩ）における人体に悪影響を及ぼす気体を検知する検知部（６７）を有する空気調和機（５）と、
を備え、
前記空気調和機（５）は、前記検知部（６７）が前記人体に悪影響を及ぼす気体を検知した際に警告を行う、
廃棄物収容庫（１）。
【発明の詳細な説明】
【０００１】
【発明の属する技術分野】
本発明は、空気調和機および廃棄物収容庫、特に、廃棄物置き場に設置される空気調和機および廃棄物収容庫に関する。
【０００２】
【従来の技術】
日常生活において日々排出される生ゴミや可燃ゴミ等の廃棄物は、様々な種類が存在し、その量も膨大なものである。このため、環境規制が高まる現代においては、廃棄物の取り扱いが重要な問題となっている。これに対して、従来のゴミ置き場としては、電柱等の下にそのままゴミ袋を放置する等の形態のものがある。しかし、電柱等の下にそのまま放置するだけでは、猫やカラスなどの動物によって、ゴミ袋が破られ、食い散らかされるという問題が生ずる。また、上記動物による食い散らかし等を防ぐ目的で、簡易な金網小屋型のゴミ置き場を設けている場合もある。しかし、この金網小屋型の場合においても、廃棄物から生ずる異臭・悪臭を周囲にまき散らす恐れがあり、ゴミ置き場近隣の住民にとって深刻な問題となっている。
【０００３】
ところで、近年は、例えば、以下の特許文献１に示されているように、廃棄物から生ずる異臭・悪臭の周囲への飛散を抑えるための密閉型のゴミ収容庫が設置されるようになっている。この密閉型のゴミ収容庫は、廃棄物を中に投入する際においてのみその蓋を開閉するものであり、廃棄物投入時以外の時には廃棄物が内部に収容された状態で蓋によって密閉されているというものである。
【０００４】
【特許文献１】
特開平７−２３７７０２号公報  （第１−３頁、第１図）
【０００５】
【発明が解決しようとする課題】
しかし、上述のような密閉型のゴミ収容庫においても、ゴミ収容庫の内部環境は劣悪なものとなりがちであり、特に夏場における生ゴミ等から生ずる腐敗臭によってその内部環境は劣悪なものとなることが多い。この場合において、密閉型のゴミ収容庫に廃棄物を廃棄しようとする人間は、ゴミ収容庫の蓋を開ける際に、内部に溜まっていた異臭・悪臭に見舞われてしまうことになる。なお、密閉型のゴミ収容庫に換気扇を設けたとしても、異臭・悪臭を周囲へ飛散することになってしまうだけであり、異臭・悪臭に見舞われてしまうという問題は何ら解決されない。
【０００６】
本発明は、上記事情に鑑みてなされたものであり、本発明の課題は、廃棄物置き場における環境の不具合を改善することができる空気調和機および廃棄物収容庫を提供することにある。
【０００７】
【課題を解決するための手段】
請求項１に係る空気調和機は、廃棄物置き場に設置される空気調和機であって、判別部と、空調制御部とを備えている。判別部は、廃棄物置き場に廃棄された廃棄物の種類を判別する。空調制御部は、判別部の判別結果に基づいて空調制御を行う。
【０００８】
従来から廃棄物置き場として用いられている密閉型のゴミ収容庫においては、例えば、生ゴミ等の廃棄物から生ずる腐敗臭によってゴミ収容庫の内部環境が劣悪となることが多い。この場合において、密閉型のゴミ収容庫に廃棄物を廃棄しようとする人間は、ゴミ収容庫の蓋を開ける際に、内部に溜まっていた異臭・悪臭・有害成分等に見舞われてしまうことになる。また、各家庭から排出される廃棄物は、生ゴミに限られずに多種多様であり、密閉型のゴミ収容庫において生ずる異臭・悪臭も様々な種類が発生することになる。
【０００９】
しかし、請求項１に記載の空気調和機では、廃棄された廃棄物の種類が判別部によって判別され、空調制御部が判別部の判別結果に基づいて空調制御を行う。このため、廃棄物の種類に応じた空調制御を行うことができるようになり、各廃棄物から生ずる異臭・悪臭・有害成分等についての効果的な空調制御を行うことが可能となり、廃棄物置き場における環境の不具合を改善することが可能となる。
【００１０】
例えば、廃棄された廃棄物は湿度が高い場合に異臭・悪臭が発生しやすくなる性質の廃棄物であると判別部に判別された場合には、空調制御部は、単に廃棄物置き場の脱臭制御を行うだけではなく、さらに除湿制御をも行うことでより効率的に廃棄物置き場における環境の不具合を改善することができる。また、廃棄された廃棄物は温度が高い場合に異臭・悪臭が発生しやすくなる性質の廃棄物であると判別部に判別された場合には、空調制御部は、廃棄物置き場の温度を下げる冷房運転制御を行うことができる。さらに、異臭・悪臭が強い廃棄物やその異臭・悪臭が残りやすい廃棄物であると判別部に判別された場合には、空調制御部は、廃棄物置き場の臭気成分を削減する脱臭運転制御をメインにして空調制御を行う。ここでは、以上のようにして、廃棄物の種類に応じた空調制御を行うことができるようになる。
【００１１】
請求項２に係る空気調和機は、請求項１に記載の空気調和機であって、判別部に接続され、廃棄物置き場に廃棄される廃棄物の種類を検知するための廃棄物センサをさらに備えている。ここでの廃棄物の種類を検知するための廃棄物センサとしては、例えば、臭気成分の存在や内部空間における含有量を測定できるセンサ等が考えられる。
【００１２】
ここでは、空気調和機が廃棄物の種類を検知するための廃棄物センサを備えている。このため、空気調和機は、廃棄される廃棄物の種類を自分で検知することができ、人間が廃棄物の種類のデータを空気調和機に対して入力する等の作業を行わなくても廃棄物の種類に応じた空調制御を行うことができるようになる。
請求項３に係る空気調和機は、廃棄物置き場に設置される空気調和機であって、スケジュール認識部と、空調制御部とを備えている。ここでの廃棄物置き場においては、廃棄されている廃棄物が、所定の収集スケジュールに従って廃棄物収集車輌等によって収集される。そして、スケジュール認識部は、廃棄物置き場において廃棄物の収集が行われる所定の収集スケジュールを認識する。これにより、空調制御部は、スケジュール認識部の認識した収集スケジュールに基づいた空調制御を行う。
【００１３】
ここでは、廃棄物の収集が行われる廃棄物の収集スケジュールに応じて、廃棄物置き場の空調制御を行うことができ、これにより収集スケジュールの時間帯に沿って空調制御を行うことができるようになる。このため、廃棄物置き場における環境の不具合を効率的に改善することができるようになる。
例えば、生ゴミの収集が行われる収集スケジュールの日時については、収集が行われる時間帯まではその生ゴミに対して脱臭・除湿の空調運転を行い、収集が行われた後には空調運転を弱めたり停止したりする制御を行う等することで、省エネルギーで効率的な空調制御を実現することができるようになる。また、廃棄物の収集スケジュールにおいて廃棄物が収集される間隔が長い場合には、長期間放置される廃棄物に対して異臭・悪臭・有害成分等が発生している間は空調運転を行い、これらが発生しなくなったら空調運転を停止して収集される時期を待つ等の最適な空調制御を設定することもできるようになる。
【００１４】
請求項４に係る空気調和機は、請求項３に記載の空気調和機であって、空調制御部に対して制御命令の入力が可能に接続されるコントローラをさらに備えている。ここでのコントローラと空調制御部との接続は、有線を介したものでもよく、無線であってもよい。そして、このコントローラは、廃棄物の収集スケジュールの内容を表示する表示部を有している。
【００１５】
ここでは、空気調和機の空調制御部に対して制御命令を入力できるコントローラにおいて、廃棄物の収集スケジュールの表示が可能な掲示板を兼用することができる。これにより、廃棄物置き場に設けられた空気調和機の利便性を向上させることができるようになる。
例えば、コントローラに表示された廃棄物の収集スケジュールを確認しながら、そのコントローラを用いて空気調和機に対して制御命令を入力することができるようになる。
【００１６】
請求項５に係る空気調和機は、請求項４に記載の空気調和機であって、コントローラは、廃棄物の収集スケジュールの情報の入力が可能なスケジュール情報入力部を有している。ここでの、スケジュール情報の入力は、コントローラにボタンを設ける等してボタン入力できるものでもよいし、スケジュール情報が記憶されているフレキシブルディスク等を用いて入力できるものでもよく、公衆回線を介することによりまたは無線によりスケジュール情報を入力できるものであってもよい。
【００１７】
ここでは、空気調和機に対する制御命令の入力が可能なコントローラにおいて、廃棄物の収集スケジュール情報の入力をも行うことが可能となる。このため、制御命令の入力と廃棄物の収集スケジュール情報の入力との両方の情報の入力を、１つのコントローラを用いて行うことができるようになる。
請求項６に係る空気調和機は、廃棄物置き場に設置される空気調和機であって、検知部と、警告部とを備えている。検知部は、人体に悪影響を及ぼす気体の検知を行う。そして、警告部は、検知部が人体に悪影響を及ぼす気体を検知した際に、空気調和機の外部に対して警告を行う。ここでの人体に悪影響を及ぼす気体としては、人体に直接的に悪影響を及ぼすようなフッ素、メタンガスやダイオキシン等だけではなく、その気体が発生することによって地球環境が破壊される結果として人体に悪影響があるようなオゾン等の気体をも含むものとする。特に、ダイオキシンなどは、一般に大気中濃度が微量で急性影響は見られないものの、長期的にわたって蓄積されることによる健康影響が懸念されるものである。
【００１８】
廃棄物置き場においては、常に人体に無害な廃棄物が廃棄されているとは限らず、人体に悪影響を及ぼす気体が発生する恐れがあるものが廃棄されることも起こりうる。また、廃棄物自体には特に人体に悪影響を及ぼす成分が含まれていない場合であっても、廃棄された様々な廃棄物が互いに反応し合うことによって、人体に悪影響を及ぼす恐れがある気体が発生するということも起こりうる。
【００１９】
しかし、請求項６に記載の空気調和機では、警告部が人体に悪影響を及ぼす気体の存在を知らせるように警告を発することができ、周囲の人々に対して危険な状態を気付かせることができるようになる。このため、周囲の人々が人体に悪影響を及ぼす気体に対して対処することが可能となり、廃棄物置き場における環境の不具合を改善することができるようになる。
【００２０】
請求項７に係る空気調和機は、廃棄物置き場に設置される空気調和機であって、検知部と、空調制御部とを備えている。検知部は、人体に悪影響を及ぼす気体の検知を行う。そして、空調制御部は、検知部が人体に悪影響を及ぼす気体を検知した結果に基づいて空調制御を行う。ここでの空調制御は、人体に悪影響を及ぼす気体を低減させる制御である。ここでの人体に悪影響を及ぼす気体としては、人体に直接的に悪影響を及ぼすようなフッ素、メタンガスやダイオキシン等だけではなく、その気体が発生することによって地球環境が破壊される結果として人体に悪影響があるようなオゾン等の気体をも含むものとする。特に、ダイオキシンなどは、一般に大気中濃度が微量で急性影響は見られないものの、長期的にわたって蓄積されることによる健康影響が懸念されるものである。
【００２１】
廃棄物置き場においては、常に人体に無害な廃棄物が廃棄されているとは限らず、人体に悪影響を及ぼす気体が発生する恐れがあるものが廃棄されることも起こりうる。また、廃棄物自体には特に人体に悪影響を及ぼす成分が含まれていない場合であっても、廃棄された様々な廃棄物が互いに反応し合うことによって、人体に悪影響を及ぼす恐れがある気体が発生するということも起こりうる。
【００２２】
しかし、請求項７に記載の空気調和機では、空調制御部は、検知部が人体に悪影響を及ぼす気体を検知した際に、人体に悪影響を及ぼす気体を低減させる空調制御を行う。このため、廃棄物置き場において人体に悪影響を及ぼす気体が発生した場合であっても、その気体を低減させる空調制御が行われるため、人体に悪影響を及ぼす気体が存在している廃棄物置き場の環境を改善することが可能となる。したがって、廃棄物置き場において人体に悪影響を及ぼす気体が発生した場合であっても、周囲の人々が対処する必要性を削減させることができるようになる。
【００２３】
請求項８に係る空気調和機は、請求項７に記載の空気調和機であって、空調制御部は、少なくとも廃棄物置き場における臭気成分もしくは有害成分を低減させる空気清浄制御と、湿度を調整する湿度制御と、温度を調整する温度制御とのうちいずれか１つの制御を行う。ここでの、臭気成分もしくは有害成分を低減させる空気清浄制御としては、例えば、廃棄物置き場における臭気・有害成分を減少させる制御や、臭気・有害成分を他の人体に悪影響の無い成分に変化させる制御、廃棄物置き場の換気を行うという換気制御等も含まれる。
【００２４】
ここでは、空気清浄制御と、湿度制御と、温度制御とのうちいずれか１つの制御を行うことができる。これにより、空気清浄制御の場合には廃棄物置き場における臭気成分もしくは有害成分を低減させることで、湿度制御の場合には廃棄物置き場における湿度を調整することで、温度制御の場合には廃棄物置き場における温度を調整することで、それぞれ廃棄物置き場における環境の不具合を改善することが可能となる。
【００２５】
請求項９に係る廃棄物収容庫は、ケーシングと、空気調和機とを備えている。ケーシングは、内部に廃棄物を収容するための内部空間を有している。空気調和機は、このようなケーシングに設けられ、廃棄物の種類に応じてケーシングの内部空間の空調制御を行う。ここで、ケーシングに設けられるというのは、空気調和機がケーシングの内部に設けられる場合とケーシングの外部に設けられる場合との両方を含み、ケーシングの内部空間とケーシングの外部の空間とにまたがるようにして設けられている場合も含まれる。
【００２６】
従来から廃棄物置き場として用いられている密閉型のゴミ収容庫においては、例えば、生ゴミ等の廃棄物から生ずる腐敗臭によってゴミ収容庫の内部環境が劣悪となることが多い。この場合において、密閉型のゴミ収容庫に廃棄物を廃棄しようとする人間は、ゴミ収容庫の蓋を開ける際に、内部に溜まっていた異臭・悪臭・有害成分等に見舞われてしまうことになる。また、各家庭から排出される廃棄物は、生ゴミに限られずに多種多様であり、密閉型のゴミ収容庫において生ずる異臭・悪臭も様々な種類が発生することになる。
【００２７】
しかし、請求項９に記載の廃棄物収容庫では、廃棄物が収容された内部空間に空気調和機が設けられており、その空気調和機が廃棄物の種類に応じた空調制御を行う。このため、各廃棄物から生ずる異臭・悪臭・有害成分等について廃棄物の種類に応じた空調制御を行うことにより効果的な空調制御が可能となり、廃棄物収容庫における環境の不具合を改善することが可能となる。
【００２８】
例えば、廃棄された廃棄物は湿度が高い場合に異臭・悪臭が発生しやすくなる性質の廃棄物であると判別部に判別された場合には、空調制御部は、単に廃棄物置き場の脱臭制御を行うだけではなく、さらに除湿制御をも行うことでより効率的に廃棄物置き場における環境の不具合を改善することができる。また、廃棄された廃棄物は温度が高い場合に異臭・悪臭が発生しやすくなる性質の廃棄物であると判別部に判別された場合には、空調制御部は、廃棄物置き場の温度を下げる冷房運転制御を行うことができる。さらに、異臭・悪臭が強い廃棄物やその異臭・悪臭が残りやすい廃棄物であると判別部に判別された場合には、空調制御部は、廃棄物置き場の臭気成分を削減する脱臭運転制御をメインにして空調制御を行う。ここでは、以上のようにして、廃棄物の種類に応じた空調制御を行うことができるようになる。
【００２９】
請求項１０に係る廃棄物収容庫は、請求項９に記載の廃棄物収容庫であって、ケーシングは、開閉可能な開閉部材を有している。この開閉部材は、空気調和機と接続されており、開閉部材の開閉を感知する開閉センサを有している。ここでの開閉部材としては、廃棄物収容庫に設けられる扉やドアや蓋等である。
ここでは、空気調和機は、開閉部材の開閉センサと連動しており、開閉部材の開閉状態を感知することができる。これにより、空気調和機が廃棄物収容庫の開閉部材の閉め忘れを認識できるようになり、開閉部材の閉め忘れを警告したり自動的に開閉部材を閉めたりする制御を行うことができるようになるため、廃棄物収容庫の開閉部材の閉め忘れ抑制することができるようになる。したがって、廃棄物収容庫において生ずる異臭・悪臭・有害成分等が外部へ漏れ出すことを抑えながら、廃棄物収容庫における環境の不具合を改善することができるようになる。
【００３０】
ここで、空気調和機が行う開閉部材の閉め忘れを抑制させる制御の態様としては、一定時間開閉部材が開いた状態が続いた場合に空気調和機が警報を発する制御を行う場合や、一定時間開閉部材が開いた状態が続いた場合に空気調和機が開閉部材を自動的に閉める制御を行う場合等がある。
請求項１１に係る廃棄物収容庫は、ケーシングと、空気調和機とを備えている。ケーシングは、内部に廃棄物を収容するための内部空間を有し、廃棄物の収集スケジュールに基づいて廃棄物が収集されるように管理される。空気調和機は、ケーシングに設けられ、廃棄物の収集スケジュールに基づいて内部空間の空調制御を行う。ここで、ケーシングに設けられるというのは、空気調和機がケーシングの内部に設けられる場合とケーシングの外部に設けられる場合との両方を含み、ケーシングの内部空間とケーシングの外部の空間とにまたがるようにして設けられている場合も含まれる。
【００３１】
ここでは、廃棄物の収集が行われる廃棄物の収集スケジュールに応じて、ケーシングの内部空間を空調制御することができ、これにより収集スケジュールの時間帯に沿って空調制御を行うことができるようになる。このため、廃棄物収容庫における環境の不具合を効率的に改善することができるようになる。
例えば、生ゴミの収集が行われる収集スケジュールの日時については、収集が行われる時間帯まではその生ゴミに対して脱臭・除湿の空調運転を行い、収集が行われた後には空調運転を弱めたり停止したりする制御を行う等することで、省エネルギーで効率的な空調制御を実現することができるようになる。また、廃棄物の収集スケジュールにおいて廃棄物が収集される間隔が長い場合には、長期間放置される廃棄物に対して異臭・悪臭・有害成分等が発生している間は空調運転を行い、これらが発生しなくなったら空調運転を停止して収集される時期を待つ等の最適な空調制御を設定することもできるようになる。
【００３２】
請求項１２に係る廃棄物収容庫は、ケーシングと、空気調和機とを備えている。ケーシングは、廃棄物を収容するための内部空間を有している。空気調和機は、内部空間における人体に悪影響を及ぼす気体を検知する検知部を有しており、検知部が人体に悪影響を及ぼす気体を検知した際に警告を行う。ここでの人体に悪影響を及ぼす気体としては、人体に直接的に悪影響を及ぼすようなフッ素、メタンガスやダイオキシン等だけではなく、その気体が発生することによって地球環境が破壊される結果として人体に悪影響があるようなオゾン等の気体をも含むものとする。特に、ダイオキシンなどは、一般に大気中濃度が微量で急性影響は見られないものの、長期的にわたって蓄積されることによる健康影響が懸念されるものである。
【００３３】
廃棄物収容庫においては、常に人体に無害な廃棄物が廃棄されているとは限らず、人体に悪影響を及ぼす気体が発生する恐れがあるものが廃棄されることも起こりうる。また、廃棄物自体には特に人体に悪影響を及ぼす成分が含まれていない場合であっても、廃棄された様々な廃棄物が互いに反応し合うことによって、人体に悪影響を及ぼす恐れがある気体が発生するということも起こりうる。
【００３４】
しかし、請求項１２に記載の廃棄物収容庫では、空気調和機が人体に悪影響を及ぼす気体の存在を知らせるように警告を発することにより、周囲の人々に対して危険な状態を気付かせることができるようになる。このため、周囲の人々が人体に悪影響を及ぼす気体に対して対処することが可能となり、廃棄物収容庫における環境の不具合を改善することができるようになる。
【００３５】
【発明の実施の形態】
＜第１実施形態＞
本発明の第１実施形態に係るゴミ収集庫１の概略図を図１に、ゴミ収集庫１のブロック図を図２にそれぞれ示す。
ここに示すゴミ収集庫１は、マンション等の集合住宅の屋外に設置され、定められた収集スケジュールＳに従ってゴミ収集車輌等により定期的にゴミ３０の分別回収が行われるものである。このゴミ収集庫１には、上記収集スケジュールＳに従って近隣の住人によって分別廃棄されたゴミ３０が集められる。
【００３６】
そして、このゴミ収集庫１には、ゴミ収集庫１の内部環境を調和するための空気調和機５が設けられており、この空気調和機５によってゴミ収集庫１の内部空間ＳＩの空調制御が行われている。このように第１実施形態に係るゴミ収集庫１は、ゴミ３０から生ずる異臭・悪臭・有害成分等によってゴミ収集庫１の内部空間ＳＩおよびその周囲の環境が劣悪になることを抑え、また、その環境の改善を図るというものである。
【００３７】
以下、図１及び図２を参照しながら、各構成について詳細に説明する。
＜ゴミ収集庫の構成＞
ゴミ収集庫１は、ケーシング２と、扉３と、開閉センサ４と、空気調和機５とから構成されている。
ケーシング２は、内部にゴミ３０を廃棄するためのスペースである内部空間ＳＩを有している。この内部空間ＳＩは、ケーシング２外部の外部空間ＳＯとは隔離されるようにして設けられている。そして、廃棄されたゴミ３０から生ずる異臭・悪臭・有害成分等は、この内部空間ＳＩにおいて充満していく。
【００３８】
扉３は、開閉自在な扉であって、ケーシング２の内部空間ＳＩにゴミ３０を投入する際に開閉させる扉である。通常、この扉３が閉められている状態では、ケーシング２の内部空間ＳＩは、ほぼ密閉状態となっている。
開閉センサ４は、扉３に設けられ、扉３の開閉状態の検知を行う。また、この開閉センサ４は、室内機６の制御部６１を通じて開閉通知部６９と接続されており、開閉通知部６９に対して扉３の開閉状態を伝えることができるようになっている。
【００３９】
空気調和機５は、内部空間ＳＩに充満した異臭・悪臭・有害成分の低減・除去する空調制御を行う。以下、空気調和機５について詳細に説明する。
〔空気調和機の構成〕
空気調和機５は、ケーシング２の内部に設けられ室内機６と、室内機６と冷媒配管８によって接続されておりケーシング２の外部に設置される室外機７と、空気調和機５の運転制御の命令を入力できるコントローラ９とから構成されている。そして、空気調和機５は、これらによって内部空間ＳＩに充満した異臭・悪臭・有害成分の低減・除去する空調制御を行う。
【００４０】
（室内機について）
室内機６は、制御部６１と、ゴミセンサ６２と、有害検知部６７と、有害警告部６８と、開閉通知部６９とから構成されている。
ゴミセンサ６２は、ゴミ３０の種類を特定するために必要な情報を取得することができる複数のセンサ群からなり、内部空間ＳＩにおけるゴミ３０から生ずる臭気成分（気体成分）や、内部空間ＳＩの湿度や温度を測定するセンサ等からなるものである。また、この他にも光センサ等のように、内部空間ＳＩの空気中に光を照射して、空気中に含まれる煙・ホコリ・その他の粒子によって乱反射させ、この乱反射した光のうち受光素子に到達した光量を検出等することによって情報を得て、ゴミの種類の判別に用いることができるものをも含んでいる。
【００４１】
制御部６１は、ゴミ判別部６３と、運転制御部６５とからなっている。
ゴミ判別部６３は、ゴミセンサ６２と接続されており、ゴミセンサ６２が感知した臭気成分や湿度・温度等の情報をゴミセンサ６２から受信する。そして、ゴミ判別部６３は、ゴミセンサ６２から受信した情報に基づいて、ゴミ収集庫１に廃棄されているゴミの種類を判別する。具体的には、ゴミ判別部６３には、データベースとして代表的なゴミから生ずる臭気成分等の情報が備えられており、ゴミセンサ６２から得られた情報をこのデータベースと比較することによってゴミ３０の種類を定める。なお、ここでのゴミ判別部６３では、臭気の強さのレベルを認識することも可能であり、人間が不快に感じる程度の臭気レベルを閾値として設定することにより、この閾値に達しない臭気レベルの場合には特に空調制御を要しないという制御を行うこともできる。
【００４２】
運転制御部６５は、ゴミ判別部６３の判別結果に基づいてもしくは後述するコントローラ９からの制御命令に基づいて、脱臭制御６５ａ、換気制御６５ｂ、除湿制御６５ｃ、冷房制御６５ｄ等の各種運転制御モードによって内部空間ＳＩの空調運転制御を行う。なお、上記ゴミ判別部６３によって臭気レベルが閾値に達しないと判別された場合には、特に空調制御を要しない常置亜であるため、運転制御部６５は、空調運転制御は行わない。さらに、運転制御部６５は、有害検知部６７が有害気体を検知した際において、制御部６１によってその有害な気体が除去可能な気体であると判断された場合には、その気体を低減する制御を行う。
【００４３】
脱臭制御６５ａは、内部空間ＳＩの臭気成分を低減させる運転制御であり、オゾン噴射方式による脱臭及び除菌・殺菌が行われる。また、脱臭方法については、この他にも活性炭方式による脱臭や、光脱臭触媒を用いた脱臭等であってもよい。なお、光脱臭触媒の場合には、分解力の劣化を抑えながらの脱臭制御が可能となる。例えば、異臭・悪臭が強い種類のゴミ３０やその異臭・悪臭が残りやすい種類のゴミ３０であるとゴミ判別部６３に判別された場合には、運転制御部６５は、ゴミ収集庫１の臭気成分を削減する脱臭制御６５ａをメインにして空調制御を行う。
【００４４】
換気制御６５ｂは、内部空間ＳＩの空気を外部空間ＳＯに放出させて、外部空間ＳＯの空気を内部空間ＳＩに取り込むという運転制御である。なお、換気制御６５ｂは、ゴミ判別部６３によって人体にさほど悪影響が無いような異臭・悪臭等に対して行われる。また、ゴミ３０の種類によっては、ゴミ収集庫１を密閉状態にすることによりかえって大量の異臭・悪臭・有害成分等の発生を促すことになるようなものもあるが、換気制御はこのような場合に有効な空調制御の手段となる。また、例えば、ゴミ３０が異臭・悪臭はあまり生じていないが水分を多く含んだ状態となっているため、ゴミ収集の際に取り扱いにくいというような問題がある場合に、この換気制御６５ｂによって換気によるゴミ３０の乾燥化を図ることができる。この場合には、室内機６に設けられたファン（図示せず）の回転させることにより換気を行うだけでよいので、除湿制御６５ｃを行う場合と比べて省エネ制御を行うことができ、コスト安となる。
【００４５】
除湿制御６５ｃは、内部空間ＳＩの水分を吸収してドレン（図示せず）を通じて外部に放出することにより内部空間ＳＩの湿度を低減させる運転制御である。例えば、廃棄されたゴミ３０は湿度が高い場合に異臭・悪臭・有害成分等を発生しやすくなる性質のゴミ３０であるとゴミ判別部６３に判別された場合には、空気調和機５が、除湿制御６５ｃを行うことによって、これらの成分の発生を有効に抑えることができる。
【００４６】
冷房制御６５ｄは、内部空間ＳＩの温度を低く保つ運転制御である。例えば、廃棄されたゴミ３０は高温時に異臭・悪臭・有害成分等を発生しやすくなる性質のゴミ３０であるとゴミ判別部６３に判別された場合には、内部空間ＳＩの温度を一定の温度以上に上げないように冷房制御６５ｄを行うことによって、臭気成分の発生を有効に抑えることができる。
【００４７】
また、運転制御部６５は、これらの運転制御の強弱をコントロールして、さらには各運転制御モードを組み合わせて運転させることも可能である。例えば、内部空間ＳＩに存在している臭気成分としてメタンガスが少量であり、ゴミ判別部６３の判別結果によって内部空間ＳＩに廃棄されたゴミ３０が水分を多く含んだ生ゴミであると判断された場合には、運転制御部６５は、脱臭制御６５ａを弱く運転させて、除湿制御６５ｃを強く運転させる等によって、無駄なエネルギーを使わないでゴミ３０の性質に対応したより効率的な空調制御を行うことができる。また、生ゴミなどが廃棄された場合には、夏場等でゴミ収集庫１内の温度・湿度が高い時にはその腐敗が進行しやすいため空調制御の運転を強める制御を行い、冬場等でゴミ収集庫１内の温度・湿度が低い時にはその腐敗は進行しにくいため空調制御の運転を弱める制御を行う等、季節等に応じた制御を行うことができる。
【００４８】
有害検知部６７は、制御部６１を通じて有害警告部６８と接続されており、ゴミ３０から生ずるあらかじめ定められた有害な気体成分を検知することができる複数のセンサ群からなっている。有害検知部６７は、直接的に人体に悪影響を及ぼすようなフッ素、ダイオキシン等だけではなく、その気体が発生することによって地球環境が破壊される結果として人体に悪影響を及ぼすようなオゾン等の気体をも検知することができる。有害検知部６７が上記気体を検知した際において、制御部６１によってその有害な気体が除去可能な気体であると判断された場合には、運転制御部６５がその気体を低減する制御を行い、除去不可能な有害成分であると判断された場合には、制御部６１を通じて有害警告部６８に通知される。
【００４９】
有害警告部６８は、上記除去不可能な有害成分であると判断された気体の発生の通知を受けた場合に、「ブーブーブー」と警告音を発生して、周囲の人間に危険を知らせる。周囲の人間は、この警告音を聞くことによって、ゴミ収集庫１の管理会社等に対して連絡を取るなどの対応を取ることができる。
開閉通知部６９は、制御部６１を通じてゴミ収容庫１の扉３に設けられた開閉センサ４と接続されており、扉３の開閉時間の測定ができるタイマー６９ａを有している。ゴミ収容庫１の扉３は人間がゴミ収容庫１にゴミ３０を廃棄する際に開閉する扉であるが、人間がゴミ３０を廃棄するために扉３を開けた後そのまま扉３を開けたままの状態にしていると、開閉センサ４から開閉通知部６９に対して信号が送られる。これにより、タイマー６９は、開閉センサ４からの信号を受信している間、扉３が開いたままの状態になっている経過時間を測定を行う。そして、タイマー６９ａが５秒間以上継続して開閉センサ４からの信号を受信した場合に、開閉通知部６９は、「ピッピッピ」と通知音を発して、扉３の閉め忘れを人間に対して知らせる。
【００５０】
（室外機について）
室外機７は、冷媒を移動させるための冷媒配管８を介して室内機６と接続され、外部空間ＳＯに配置されている。なお、除湿制御６５ｃを行った場合に生ずる水分をゴミ収集庫１外部に排出するためのドレン（図示せず）が、この冷媒配管８に沿うようにして設けられている。
【００５１】
（コントローラについて）
コントローラ９は、表示部９２と、空調制御情報入力部９３とを有している。
表示部９２は、空気調和機５の運転状態と、判別されたゴミの種類との表示を行う。具体的には、図３に示すように、空気調和機５のゴミ３０の種類に基づく運転状態の情報として、運転制御モードや、設定温度、運転の強弱レベル等が表示され、判別されたゴミの種類の情報として、ゴミ判別部６３による判別結果と、その判別されたゴミ３０の種類に基づいた運転制御のモードとが対応付けられて表示される。
【００５２】
空調制御情報入力部９３は、空気調和機５の運転制御を変更することができる。具体的には、脱臭制御６５ａ、換気制御６５ｂ、除湿制御６５ｃ、冷房制御６５ｄ等の各種運転制御モードを変更したり、設定温度を変更したり、運転を強めたり弱めたりすることができるようになっている。
〔第１実施形態におけるゴミ収集庫の特徴〕
（１）
上記第１実施形態におけるゴミ収集庫１では、空気調和機５は、運転制御部６５によってゴミ３０の種類に応じた空調制御を行うことができるようになり、各ゴミ３０から生ずる異臭・悪臭・有害成分等について各ゴミ３０の種類に応じた効果的な空調制御を行うことができる。したがって、ゴミ収集庫１における環境の不具合を改善することが可能となる。これによって、ゴミ収容庫１にゴミ３０を廃棄しようとして扉３を開けた場合に異臭・悪臭等に見舞われてしまうことや、異臭・悪臭がゴミ収集庫１の周囲に飛散してしまうこと等を抑制することができる。
【００５３】
例えば、廃棄されたゴミ３０が生ゴミである場合には、空気調和機５が脱臭制御６５ａ及び除湿制御６５ｃを行うことによって、水分を取り除くことにより生ゴミの腐敗の進行を抑制しながら、臭気成分の発生を効果的に抑えることができる。
（２）
上記第１実施形態におけるゴミ収集庫１では、空気調和機５は、運転制御部６５によってゴミ３０の種類に応じた空調制御を行うことができるため、ゴミ３０の種類に応じて運転時間や運転強度を対応するように変化させることができる。このため、不必要な空調制御や過剰な運転を抑制することができ、経済的である。
【００５４】
（３）
上記第１実施形態におけるゴミ収集庫１では、空気調和機５は、ゴミセンサ６２によって廃棄されたゴミ３０の種類を自ら検知することができるため、人間がゴミ３０の種類等のデータを空気調和機５に対して１つ１つ入力する等の作業を行う必要が無くなる。
【００５５】
（４）
上記第１実施形態におけるゴミ収集庫１では、運転制御部６５に接続されたコントローラ９において、表示部９２と、空調制御情報入力部９３とを兼用させている。このため、表示部９２において、ゴミ３０の種類及びそのゴミの種類に対応して行われている運転制御モードの表示を視認することができる。したがって、これらの事項を視認しながら、空調制御情報入力部９３から空気調和機５の運転制御にさらに変更を加えることにより微調整できるため、空調制御における利便性が向上される。例えば、他の更なる運転制御モードを同時起動させたり、設定温度を変更したり、運転を強めたり弱めたりする等の微調整を行うことができる。
【００５６】
（５）
ゴミ収集庫１においては、人体に無害なゴミ３０ばかりが廃棄されているとは限らず、人体に有害な成分を発生させる恐れのあるゴミ３０が廃棄されていることもある。また、ゴミ３０自体には特に人体に有害な成分が含まれていないという場合であっても、廃棄された様々なゴミ３０が互いに反応し合うことによって、人体に有害な気体が新たに発生するということも起こりうる。
【００５７】
しかし、上記第１実施形態におけるゴミ収集庫１では、室内機６に設けられた有害警告部６８が、人体に有害な気体の存在を知らせるように警告を発するため、周囲の人々に対して危険な状態を気付かせることができる。そして、周囲の人々がその有害な気体に対して対処することが可能となる。なお、有害検知部６７が検知した気体が無害化できる気体の場合には、空気調和機５の運転制御部６５によってその有害な気体を低減させる。このため、ゴミ収集庫１において人体に有害な気体が発生した場合であっても、無害化できる気体の場合には周囲の人々が対処する必要が無くなる。
【００５８】
（６）
上記第１実施形態におけるゴミ収集庫１では、室内機６の制御部６１に接続された開閉通知部６９が、扉３の閉め忘れを警告によって知らせることができる。このためゴミを廃棄した人間に、扉３の閉め忘れを気付かせることができる。したがって、ゴミ収集庫１において生ずる異臭・悪臭・有害成分等がゴミ収集庫１の外部へ漏れ出して、周囲の環境が劣悪化することを抑えることができる。
【００５９】
〔変形例〕
（Ａ）
上記第１実施形態におけるゴミ収集庫１では、室内機６と室外機７とが分離したセパレート型の空気調和機５を採用している。しかし、室内機と室外機が一体化したウィンド型の空気調和機であっても上記第１実施形態における効果と同様の効果を得ることができる。
【００６０】
（Ｂ）
上記第１実施形態におけるゴミ収集庫１では、空気調和機５に設けられた開閉通知部６９がゴミ収集庫１の扉３の閉め忘れを警報によって知らせることによって扉３が開いたままになる状態を防いでいる。しかし、扉３の開閉部分に、制御部６１と接続されて扉３を自動的に閉鎖できる装置を設ける等して、扉３が開いたままの状態となって開閉センサ４からの信号を開閉通知部６９が５秒以上受信した場合に、制御部６１が、上記装置を作動させることによって自動的に扉３を閉じるような制御を行うようにすることもできる。
【００６１】
（Ｃ）
上記第１実施形態におけるゴミ収集庫１では、ゴミセンサ６２と有害検知部６７とは、室内機６においてそれぞれ別個に設けられている。しかし、ゴミセンサ６２と有害検知部６７とは、ゴミ３０から生じた気体成分を判別するための手段と、ゴミ３０から生じた有害成分等を検知するための手段との両方を備えた１つのセンサとしてもよい。
【００６２】
（Ｄ）
上記第１実施形態におけるゴミ収集庫１では、室内機６の運転制御部６５とコントローラ９との間の通信は、有線を介して行われている。しかし、ここでの通信は、近距離無線や公衆回線を介しての通信であってもよい。
（Ｅ）
上記第１実施形態におけるゴミ収集庫１では、ゴミセンサ６２とゴミ判別部６３とによってゴミ３０の種類が判別され、運転制御部６５は、上記判別の結果に基づいて空調制御を行っている。しかし、上記ゴミセンサ６２とゴミ判別部６３のような装置を設けない場合であっても、コントローラ９にゴミ種類情報入力部等を設けて、ゴミ３０を廃棄した人間が、そのゴミ種類情報入力部から自分が廃棄するゴミ３０の種類を入力するような構成にしてもよい。この場合であっても、コントローラ９から室内機６の制御部６１へと信号が送られるため、上記第１実施形態におけるゴミ収集庫１と同様に、各ゴミ３０の種類に応じた効果的な空調制御を行うことができるようになる。
【００６３】
（Ｆ）
上記第１実施形態におけるゴミ収集庫１では、ゴミセンサ６２とゴミ判別部６３とによってゴミ３０の種類の判別が行われている。この第１実施形態におけるゴミセンサ６２は、内部空間ＳＩの状態を臭気成分、温度、湿度等を測定するものであり、ゴミ判別部６３は、代表的なゴミから生ずる臭気成分等の情報のデータベースを参照して廃棄されたゴミ３０の種類を特定している。
【００６４】
しかし、利用者が、ゴミ３０に対して、廃棄する前に、ゴミ３０の種類毎に定められたＩＤを有する無線タグ等の非接触ＩＣカードを張り付けるようにしてもよい。この場合には、この非接触ＩＣカードのＩＤを読み取ることができるゴミセンサ等をゴミ収集庫１のケーシング２に設ける等の構成となる。そして、利用者に対して、廃棄する前に自ら分別したゴミ３０に非接触ＩＣカードを張り付けることを義務化することによって、ゴミ収集庫１のゴミ判別部６３では、利用者がゴミ３０を廃棄する毎に、ゴミ３０の種類や量を判別していくことができるようになる。この場合であっても、上記第１実施形態のゴミ収集庫１におけるゴミ３０の種類に応じた空調制御と同様な効果的な空調制御を行うことができるようになる。
【００６５】
＜第２実施形態＞
本発明の第２実施形態に係るゴミ収集庫１のブロック図を図４に示す。
第２実施形態のゴミ収集庫１においては、第１実施形態のゴミ収集庫１とほぼ同様であるが、第１実施形態のゴミ収集庫１に設けられているゴミセンサ６２の代わりにコントローラ９においてスケジュール情報入力部９１を設けており、ゴミ判別部６３の代わりに室内機６の制御部６１においてスケジュール認識部６４を設けている。
【００６６】
第２実施形態のゴミ収集庫１においては、コントローラ９のスケジュール情報入力部９１から、ゴミ３０の回収についての収集スケジュールＳの情報を入力することができる。ここでの、収集スケジュールＳの情報の入力作業は、コントローラ９のスケジュール情報入力部９１から、ボタン等によって入力する。なお、この他にも収集スケジュールＳの情報が記憶されているフレキシブルディスク等を用いて入力してもよく、公衆回線を介することによりまたは無線により収集スケジュールＳの情報を入力できるものであってもよい。このようにして収集スケジュールＳの情報が入力されると、コントローラ９の表示部９２においては、図５に示すように、空気調和機５の運転状態と、ゴミ３０の収集スケジュールＳの情報との表示が行われる。ここでは、空気調和機５のゴミ３０の種類に基づく空調運転の情報として、運転制御モードや、設定温度、運転の強弱等が表示され、ゴミ３０の収集スケジュールＳの情報として、ゴミ３０の種類とそのゴミ３０が収集される曜日・時間とが対応付けられて表示される。
【００６７】
また、スケジュール情報入力部９１から入力された収集スケジュールＳの情報は、制御部６１におけるスケジュール認識部６４が認識する。これによって、運転制御部６５が、収集スケジュールＳに応じた空調制御を行うことができるようになる。
第２実施形態におけるゴミ収集庫１についての他の構成は、第１実施形態におけるゴミ収集庫１の構成とほぼ同様である。
【００６８】
〔第２実施形態におけるゴミ収集庫の特徴〕
（１）
上記第２実施形態におけるゴミ収集庫１では、ゴミ３０の収集スケジュールＳに応じたゴミ収集庫１の空調制御を行うことができるため、ゴミ３０の収集スケジュールＳの時間帯に沿った空調制御を行うことができるようになる。このため、ゴミ収集庫１における環境の不具合を効率的に改善することができるようになる。
【００６９】
例えば、ゴミ収集庫１に廃棄されているゴミ３０の量はゴミ３０の収集スケジュールＳによる回収直前の時間帯が最も多くなるため、この時間帯には空気調和機５の運転を強める制御を行うようにすることができる。また、ゴミ３０の回収後の時間帯は、ゴミ収集庫１に廃棄されているゴミ３０が無くなるもしくは少なくなるため、空調制御の運転を停止したり弱めたりする制御を行うとうにすることができる。これにより、無駄な空気調和機５の運転を省くことができるため、省エネルギーで効率的な空調制御を実現することができるようになる。また、ゴミ３０の収集スケジュールＳにおいてゴミ３０の収集が行われる間隔が長い場合には、長期間放置されるゴミ３０に対して異臭・悪臭・有害成分等が発生している間は空調運転を行って、これらが発生しなくなったら空調運転を停止し、ごみ３０が収集される時期を待つ等の最適な空調制御を行うこともできるようになる。
【００７０】
（２）
上記第２実施形態におけるゴミ収集庫１では、運転制御部６５に接続された１つのコントローラ９において、運転制御部６５に対して制御命令を入力可能な空調制御情報入力部９３と、ゴミ３０の収集スケジュールＳの表示が可能な表示部９２とを兼用させることができる。これにより、コントローラ９の表示部９２に表示されるゴミ３０の収集スケジュールＳを確認しながら、そのコントローラ９の空調制御情報入力部９３を用いて空気調和機５に対して制御命令を入力することができるようになる等、空調制御情報入力部９３から運転制御の微調整ができるため、空調制御における利便性が向上される。
【００７１】
（３）
また、上記第２実施形態におけるゴミ収集庫１では、コントローラ９において設けられているスケジュール情報入力部９１からゴミ３０の収集スケジュールＳの情報を入力することができ、且つ、空調制御情報入力部９３から空気調和機５に対して制御命令をも入力することができる。このため、ゴミ３０の収集スケジュールＳの情報の入力と、制御命令の入力との両方の情報の入力を、１つのコントローラ９を用いて行うことができるようになる。
【００７２】
〔変形例〕
上記第２実施形態におけるゴミ収集庫１では、運転制御部６５とコントローラ９との間の通信は、有線を介して行われている。しかし、図６に示すように、ここでの通信は、近距離無線や公衆回線を介しての通信であってもよい。
また、上記第２実施形態においては、ゴミの収集スケジュールＳの情報についてコントローラ９からボタン入力する等して入力を行っている。しかし、図６に示すように、ゴミ３０の収集スケジュールＳの情報についても、ゴミ３０の収集の統括管理を行っている情報管理センタ１００のような所から公衆回線を介して得るようにしてもよい。
【００７３】
【発明の効果】
請求項１に係る空気調和機では、廃棄された廃棄物の種類が判別部によって判別され、空調制御部が判別部の判別結果に基づいて空調制御を行う。このため、廃棄物の種類に応じた空調制御を行うことができるようになり、各廃棄物から生ずる異臭・悪臭・有害成分等についての効果的な空調制御を行うことが可能となり、廃棄物置き場における環境の不具合を改善することが可能となる。
【００７４】
請求項２に係る空気調和機では、空気調和機は、廃棄される廃棄物の種類を自分で検知することができ、人間が廃棄物の種類のデータを空気調和機に対して入力する等の作業を行わなくても廃棄物の種類に応じた空調制御を行うことができるようになる。
請求項３に係る空気調和機では、廃棄物の収集が行われる廃棄物の収集スケジュールに応じて、廃棄物置き場の空調制御を行うことができ、これにより収集スケジュールの時間帯に沿って空調制御を行うことができるようになる。このため、廃棄物置き場における環境の不具合を効率的に改善することができるようになる。
【００７５】
請求項４に係る空気調和機では、空気調和機の空調制御部に対して制御命令を入力できるコントローラにおいて、廃棄物の収集スケジュールの表示が可能な掲示板を兼用することができる。これにより、廃棄物置き場に設けられた空気調和機の利便性を向上させることができるようになる。
請求項５に係る空気調和機では、空気調和機に対する制御命令の入力が可能なコントローラにおいて、廃棄物の収集スケジュール情報の入力をも行うことが可能となる。このため、制御命令の入力と廃棄物の収集スケジュール情報の入力との両方の情報の入力を、１つのコントローラを用いて行うことができるようになる。
【００７６】
請求項６に係る空気調和機では、警告部が人体に悪影響を及ぼす気体の存在を知らせるように警告を発することができ、周囲の人々に対して危険な状態を気付かせることができるようになる。このため、周囲の人々が人体に悪影響を及ぼす気体に対して対処することが可能となり、廃棄物置き場における環境の不具合を改善することができるようになる。
【００７７】
請求項７に係る空気調和機では、廃棄物置き場において人体に悪影響を及ぼす気体が発生した場合であっても、その気体を低減させる空調制御が行われるため、人体に悪影響を及ぼす気体が存在している廃棄物置き場の環境を改善することが可能となる。したがって、廃棄物置き場において人体に悪影響を及ぼす気体が発生した場合であっても、周囲の人々が対処する必要性を削減させることができるようになる。
【００７８】
請求項８に係る空気調和機では、空気清浄制御の場合には廃棄物置き場における臭気成分もしくは有害成分を低減させることで、湿度制御の場合には廃棄物置き場における湿度を調整することで、温度制御の場合には廃棄物置き場における温度を調整することで、それぞれ廃棄物置き場における環境の不具合を改善することが可能となる。
【００７９】
請求項９に係る廃棄物収容庫では、廃棄物が収容された内部空間に空気調和機が設けられており、その空気調和機が廃棄物の種類に応じた空調制御を行う。このため、各廃棄物から生ずる異臭・悪臭・有害成分等について廃棄物の種類に応じた空調制御を行うことにより効果的な空調制御が可能となり、廃棄物収容庫における環境の不具合を改善することが可能となる。
【００８０】
請求項１０に係る廃棄物収容庫では、空気調和機が廃棄物収容庫の開閉部材の閉め忘れを認識できるようになり、開閉部材の閉め忘れを警告したり自動的に開閉部材を閉めたりする制御を行うことができるようになるため、廃棄物収容庫の開閉部材の閉め忘れ抑制することができるようになる。したがって、廃棄物収容庫において生ずる異臭・悪臭・有害成分等が外部へ漏れ出すことを抑えながら、廃棄物収容庫における環境の不具合を改善することができるようになる。
【００８１】
請求項１１に係る廃棄物収容庫では、廃棄物の収集が行われる廃棄物の収集スケジュールに応じて、ケーシングの内部空間を空調制御することができ、これにより収集スケジュールの時間帯に沿って空調制御を行うことができるようになる。このため、廃棄物置き場における環境の不具合を効率的に改善することができるようになる。
【００８２】
請求項１２に係る廃棄物収容庫では、空気調和機が人体に悪影響を及ぼす気体の存在を知らせるように警告を発することにより、周囲の人々に対して危険な状態を気付かせることができるようになる。このため、周囲の人々が人体に悪影響を及ぼす気体に対して対処することが可能となり、廃棄物収容庫における環境の不具合を改善することができるようになる。
【図面の簡単な説明】
【図１】本発明の第１実施形態におけるゴミ収集庫の概略図。
【図２】本発明の第１実施形態におけるゴミ収集庫のブロック図。
【図３】本発明の第１実施形態における表示部の説明図。
【図４】本発明の第２実施形態におけるゴミ収集庫のブロック図。
【図５】本発明の第２実施形態における表示部の説明図。
【図６】ゴミの収集スケジュール情報を取得するゴミ収集庫の説明図。
【符号の説明】
１    廃棄物置き場、廃棄物収容庫（ゴミ収容庫）
２    ケーシング
３    開閉部材（扉）
４    開閉センサ
５    空気調和機
９    コントローラ
３０    廃棄物（ゴミ）
６２    廃棄物センサ（ゴミセンサ）
６３    判別部（ゴミ判別部）
６４    スケジュール認識部
６５    空調制御部（運転制御部）
６５ａ、６５ｂ    空気清浄制御（脱臭制御、換気制御）
６５ｃ    湿度制御
６５ｄ    温度制御
６７    検知部（有害検知部）
６８    警告部（有害警告部）
９１    スケジュール情報入力部
９２    表示部
９３    空調制御情報入力部
Ｓ    収集スケジュール
ＳＩ    内部空間
【図１】
2004317088.tif 000003
【図２】
2004317088.tif 000004
【図３】
2004317088.tif 000005
【図４】
2004317088.tif 000006
【図５】
2004317088.tif 000007
【図６】
2004317088.tif 000008